(57)【要約】【課題】採血作業者が作業し易く、かつ故障することが少ない採血作業ユニットを提供する。【解決手段】被採血者の情報が書き込まれたラベルが貼着された採血管が供給される採血管準備装置１の左右両側に、採血台４Ａ，４Ｂを有する採血ブース２Ａ，２Ｂが一つずつ配置される。採血ブース２Ａ，２Ｂの各々は、パーティションによって仕切られている。採血管は、採血管準備装置１上部の排出部にトレイに入った状態で排出される。採血台４Ａ，４Ｂ上に、呼び出し表示器７Ａ，７Ｂ、患者情報モニタ６Ａ，６Ｂ、及びバーコード読み取り器５Ａ，５Ｂからなる機器が有る。この採血作業ユニットを１単位として多数設置することができる。【選択図】図１
0003134557.tif 000002
【実用新案登録請求の範囲】
【請求項１】
被採血者の情報が書き込まれたラベルが貼着された採血管が供給される採血管準備装置の左右両側に、採血台を有する採血ブースを一つずつ配置したことを特徴とする採血作業ユニット。
【請求項２】
前記採血ブースの各々は、パーティションによって仕切られていることを特徴とする請求項１に記載の採血作業ユニット。
【請求項３】
前記採血管は、前記採血管準備装置上部の排出部にトレイに入った状態で排出されることにより供給されることを特徴とする請求項１又は２に記載の採血作業ユニット。
【請求項４】
前記採血台上に、呼び出し表示器、患者情報モニタ、及びバーコード読み取り器からなる機器が有ることを特徴とする請求項１ないし３のいずれかに記載の採血作業ユニット。
【請求項５】
前記呼び出し表示器は、文字表示と音声表示を行うことを特徴とする請求項４に記載の採血作業ユニット。
【請求項６】
前記採血管準備装置及び前記採血台上の機器は、コンピュータにより制御されることを特徴とする請求項４又は５に記載の採血作業ユニット。
【請求項７】
請求項１ないし６のいずれかに記載の採血作業ユニットを１単位として多数設置したことを特徴とする採血作業システム。
【請求項８】
請求項４ないし６のいずれかに記載の採血作業ユニットを１単位として多数設置した採血作業システムにおいて、前記呼び出し表示器及び前記患者情報モニタは、検知された前記採血管準備装置の故障信号により、当該採血管準備装置の両側部の採血ブースの使用不能と、使用可能な他の採血ブースを表示することを特徴とする採血作業システム。
【考案の詳細な説明】
【技術分野】
【０００１】
本考案は、病院の採血室に設置されて採血作業者により操作され、被採血者（患者、健康診断受診者）の血液を採取するための採血作業システムに用いる採血作業ユニット、特にコンピュータにより制御された採血管準備装置と採血ブースを有する採血作業ユニットに関する。
【背景技術】
【０００２】
病院の採血室においては、多くの被採血者の血液を間違いなく、かつ効率よく採取しなければならない。通常、採血管を利用して採血がなされるが、血液検査項目に応じて、採血１回あたり他種類の採血管が用意される。
【０００３】
そこで、コンピュータを利用した採血管のオートラベリングが行われる。これは、採血管準備装置により被採血者の情報が書き込まれたラベルが貼着された採血管を自動的に供給する作業である。すなわち、被採血者が、採血受付をすると、自身のＩＤカードからホストコンピュータを介して、必要情報が取り出される。これをコード情報としてラベルに印刷し、このラベルを貼着した採血管が準備される。被採血者は、指示された採血台に行き、採血作業者は、当該被採血者と採血管を照合して採血を行う。
【０００４】
従来、複数の採血台を連結させ、各採血台に採血管を供給する採血管搬送システムが提案されている（下記特許文献１，２参照）。
【０００５】
特許文献１に開示された採血管搬送システムの概要は次のとおりである。
【０００６】
図４は、特許文献１に開示された採血管搬送システムを示す図である。
【０００７】
複数の採血台を連結させたシステムであって、それらの複数の採血台に跨って採血管用搬送手段であるベルトコンベアが設置されている。
【０００８】
ホストコンピュータ側で、被採血者の情報を収録し、上記情報をラベラに与えて、検査項目に対応した所要枚数のラベルに、必要情報の書き込みを行うと共に、上記ラベルを自動貼着手段で採血管に貼着する。
【０００９】
ベルトコンベアによって、被採血者ごとの複数の採血管を収容したパレット（トレイ）が搬送される。ベルトコンベア上には、複数の採血台に対応して設けられた複数の分配装置が設けられる。制御部の制御によって、複数の分配装置を選択的に動作させることにより、ある被採血者用のパレットがその被採血者に割り当てられた採血台へ送り込まれる。
【００１０】
図４において、採血台１１Ａの左方において、採血管にラベルを貼着するラベラと、空パレット供給手段があり、採血管を収容したパレット１２がベルトコンベアにより搬送され、採血台１１Ａ，１１Ｂ，１１Ｃの各々のストッカ１３Ａ，１３Ｂ，１３Ｃに分配される。１４Ａは、バーコード読み取り器などの情報読み取り手段、１５Ａはテレビモニタ、１６Ａはデジタル電光表示器などの表示手段である。情報読み取り手段１４Ａは、ラベルの読み取りを基にホストコンピュータからの当該被採血者に対する特定情報を取得して表示する。
【００１１】
特許文献２に開示された採血管搬送システムも同様の構成である。
【特許文献１】特開平８−２６６５２１号公報
【特許文献２】特開２０００−１４６９８８号公報
【考案の開示】
【考案が解決しようとする課題】
【００１２】
上記従来の採血作業システム（採血管搬送システム）においては、２以上の採血台を配給ユニットの側部一方向に配置している。これにより一つの配給ユニット（ラベラー）から複数の採血台まで、採血管を供給することができる。しかしながら、配給ユニットから供給される採血管は、搬送機構により採血台まで搬送しなければならない。また、採血管を入れるパレット（トレイ）についても、搬送機構を設けている。一度搬送機構が故障すると、他の採血台に影響を及ぼし、回復するまで多くの時間を要することになる。
【００１３】
そこで、本考案の目的は、採血作業者が作業し易く、かつ故障することが少ない採血作業ユニットを提供することにある。
【課題を解決するための手段】
【００１４】
上述の課題を解決するため、本考案の採血作業ユニットは、被採血者の情報が書き込まれたラベルが貼着された採血管が供給される採血管準備装置の左右両側に、採血台を有する採血ブースを一つずつ配置したことを特徴とする。
【００１５】
また、本考案の採血作業システムは、上記採血作業ユニットを１単位として多数設置したことを特徴とする。
【考案の効果】
【００１６】
本考案により、採血ブースを採血管準備装置の左右両側に一つずつ配置したので、採血作業者が作業し易く、また、採血台までの搬送機構のような可動部分がなく故障することが少なく、故障しても採血管の供給を迅速に回復することができる。このように採血作業を効率よく行うことができる。
【考案を実施するための最良の形態】
【００１７】
次に、本考案の実施の形態について図面を参照して説明する。
【００１８】
図１は、本考案の採血作業ユニットを示す図であり、図２は、本考案に用いる採血管準備装置の外観を示す図である。
【００１９】
本考案の採血作業ユニットは、被採血者２人分の採血を行う基本ユニットであり、これを適宜多数連設して配置して採血作業システムとすることができる。
【００２０】
図１において、採血作業ユニットは、採血管準備装置１の左側部に区画された一つの採血ブース２Ａ、また右側部に区画された一つの採血ブース２Ｂを配置している。これを基本ユニットとしている。採血ブースは、パーティション３によって仕切られた区画であり、被採血者のプライバシが保たれている。各採血ブースは、採血台４Ａ，４Ｂを有し、被採血者が座る椅子が用意される。採血管準備装置１と採血台上の機器は、ホストコンピュータ（サーバ）により制御されている。
【００２１】
採血台４Ａ，４Ｂ上には、採血管に付けられたバーコードラベルや被採血者に携帯される検査票のバーコードラベルなどを読み取るバーコード読取器５Ａ，５Ｂ（５Ａは不図示）が設けられる。また、被採血者情報などを表示する患者情報モニタ６Ａ，６Ｂが設けられている。更に、被採血者を呼び出す際に当該被採血者の受付番号が表示される呼び出し表示器７Ａ，７Ｂが設けられる。患者情報モニタ６Ａ，６Ｂは、サーバと連携し、システム全体を監視、制御するものであり、被採血者情報などを表示、又は入力できる。
【００２２】
図２において、採血管準備装置１において、各種設定を行う制御ＰＣが内蔵され、オートラベル機能を有する。下方に採血管をストックする引出式の採血管ストッカ８、上部右にトレイの供給、ストックを行うトレイ供給、ストック部９がある。被採血者の情報が書き込まれたラベルが貼着された採血管が、上部中央の排出部１０でトレイに入った状態で排出されることにより供給される。上部左に、呼び出し表示器７Ａ，７Ｂと同様に被採血者の受付番号が表示される表示部１１がある。本実施形態の採血管準備装置１は、多機能でコンパクトな構成である。
【００２３】
このように採血管準備装置１の１つあたり左右に２つの採血ブースを配置した採血作業ユニットを基本ユニットとしている。従来のシステムと異なり、採血管準備装置１の直近に採血ブースが配置され、採血作業者は、被採血者の採血作業を容易に行うことができる。採血管を採血台へ搬送する搬送機構がないため故障することが少ない。採血管準備装置１が故障しても、採血管の供給を迅速に回復することができる。
【００２４】
また、基本ユニットである１単位が故障しても、２人分の採血作業に影響が出るだけである。また、その場合故障を検知して、直ちに他のユニットへ向かうように表示器７Ａ，７Ｂと患者情報モニタ６Ａ，６Ｂに指示させるようにしている。表示器７Ａ，７Ｂは通常文字表示であるがそれ以外に音声表示器を設けてもよい。
【００２５】
図３は、本考案の採血作業ユニットを１単位として採血室に多数設置した状態を示す図である。
【００２６】
病院の採血室に本考案の採血作業ユニットを設置する場合、多数の被採血者から効率よく採血するため、図１に示した採血作業ユニットを１単位として、多数の単位を設置して採血作業システムとしている。
【図面の簡単な説明】
【００２７】
【図１】本考案の採血作業ユニットを示す図
【図２】本考案に用いる採血管準備装置の外観を示す図
【図３】本考案の採血作業ユニットを１単位として採血室に多数設置した状態を示す図
【図４】従来の採血管搬送システムを示す図
【符号の説明】
【００２８】
１…採血管準備装置
２Ａ，２Ｂ…採血ブース
３…パーティション
４Ａ，４Ｂ…採血台
５Ａ，５Ｂ…バーコード読取器
６Ａ，６Ｂ…患者情報モニタ
７Ａ，７Ｂ…呼び出し表示器
８…採血管ストッカ
９…トレイ供給、ストック部
１０…排出部
１１…表示部
【図１】
0003134557.tif 000003
【図２】
0003134557.tif 000004
【図３】
0003134557.tif 000005
【図４】
0003134557.tif 000006